(57)【要約】【課題】対象者に対して宣伝効率を向上させる。【解決手段】表示装置（１）は、広告情報を表示する表示部（２）と、広告情報を提供する対象者の移動速度を少なくとも含む対象者の状態を検出する検出部（３）と、検出部（３）によって検出された対象者の状態に基づいて表示部（２）に表示させる広告情報を変更する制御部（４０）と、を備える。【選択図】図２
2013164431.tif 000002
【特許請求の範囲】
【請求項１】
広告情報を表示する表示部と、
前記広告情報を提供する対象者の移動速度を少なくとも含む前記対象者の状態を検出する検出部と、
前記検出部によって検出された前記対象者の状態に基づいて前記表示部に表示させる広告情報を変更する制御部と、
を備えることを特徴とする表示装置。
【請求項２】
前記対象者の状態には、前記移動速度と前記対象者と前記表示部との間の距離を示す前記対象者の距離とが含まれ、
前記検出部は、前記移動速度と前記対象者の距離とを検出し、
前記制御部は、
前記検出部によって検出された前記移動速度と前記対象者の距離とに応じて、前記表示部に表示させる前記広告情報を変更する
ことを特徴とする請求項１に記載の表示装置。
【請求項３】
前記制御部は、
前記移動速度が予め定められた速度閾値以上である場合に、前記広告情報として静止画像を前記表示部に表示させ、
前記移動速度が前記速度閾値未満である場合に、前記広告情報として動画像を前記表示部に表示させる
ことを特徴とする請求項１又は請求項２に記載の表示装置。
【請求項４】
前記制御部は、
前記移動速度が予め定められた速度閾値以上である場合、且つ、前記対象者の距離が予め定められた距離閾値以上である場合に、前記対象者の距離が前記距離閾値未満である場合よりコントラスト値を高めた静止画像を前記広告情報として前記表示部に表示させ、
前記移動速度が前記速度閾値以上である場合、且つ、前記対象者の距離が前記距離閾値未満である場合に、前記対象者の距離が前記距離閾値以上である場合より情報量を減らした静止画像を前記広告情報として前記表示部に表示させ、
前記移動速度が前記速度閾値未満である場合、且つ、前記対象者の距離が前記距離閾値以上である場合に、前記対象者の距離が前記距離閾値未満である場合よりイメージ画像を増やした動画像を前記広告情報として前記表示部に表示させ、
前記移動速度が前記速度閾値未満である場合、且つ、前記対象者の距離が前記距離閾値未満である場合に、前記対象者の距離が前記距離閾値以上である場合より説明情報を増やした動画像を前記広告情報として前記表示部に表示させる
ことを特徴とする請求項２に記載の表示装置。
【請求項５】
前記制御部は、
前記検出部によって検出された前記対象者の距離に応じて、前記広告情報を前記表示部に表示させる表示サイズを変更する
ことを特徴とする請求項１から請求項４のいずれか１項に記載の表示装置。
【請求項６】
前記対象者の状態には、前記対象者の移動方向が含まれ、
前記検出部は、前記移動方向を検出し、
前記制御部は、
前記検出部によって検出された前記移動方向に応じて、前記広告情報を前記表示部に表示させる位置を変更する
ことを特徴とする請求項１から請求項５のいずれか１項に記載の表示装置。
【請求項７】
前記制御部は、
前記検出部によって検出された前記移動方向と前記移動速度とに応じて、前記広告情報を前記表示部に表示させる位置を移動させる
ことを特徴とする請求項６に記載の表示装置。
【請求項８】
前記対象者の状態には、前記対象者の身長が含まれ、
前記検出部は、前記対象者の身長を検出し、
前記制御部は、
前記検出部によって検出された前記対象者の身長に応じて、前記広告情報を前記表示部に表示させる位置を変更する
ことを特徴とする請求項１から請求項７のいずれか１項に記載の表示装置。
【請求項９】
前記対象者の状態には、前記対象者の属性が含まれ、
前記対象者の属性には、前記対象者の年齢、前記対象者の人数、前記対象者の性別、又は前記対象者の職業が含まれ、
前記検出部は、前記対象者の属性を検出し、
前記制御部は、
前記検出部によって検出された前記対象者の属性に応じて、前記表示部に表示させる前記広告情報を変更する
ことを特徴とする請求項１から請求項８のいずれか１項に記載の表示装置。
【請求項１０】
前記制御部は、
前記検出部によって検出された前記対象者の属性に応じて、前記表示部に表示させる前記広告情報の表示形状を変更する
ことを特徴とする請求項９に記載の表示装置。
【請求項１１】
前記制御部は、
前記検出部によって検出された前記対象者の属性に応じて、前記対象者を誘導させる方向を指示する指示情報を前記表示部に表示させる
ことを特徴とする請求項９又は請求項１０に記載の表示装置。
【請求項１２】
前記対象者の状態には、前記対象者が前記表示部の表示から情報を読み取り可能な通信機器を所持しているか否かを示す通信機器所持状態が含まれ、
前記検出部は、前記通信機器所持状態を検出し、
前記制御部は、
前記検出部によって検出された前記通信機器所持状態に基づいて、追加情報を前記表示部に表示させる
ことを特徴とする請求項１から請求項１１のいずれか１項に記載の表示装置。
【請求項１３】
前記制御部は、
時刻に応じて、前記表示部に表示させる前記広告情報を変更する
ことを特徴とする請求項１から請求項１２のいずれか１項に記載の表示装置。
【請求項１４】
前記対象者の状態と表示する前記広告情報とを対応付けて予め記憶している記憶部を備え、
前記制御部は、
前記検出部によって検出された前記対象者の状態に対応する前記広告情報を、前記記憶部から読み出し、読み出した前記広告情報を前記表示部に表示させる
ことを特徴とする請求項１から請求項１３のいずれか１項に記載の表示装置。
【請求項１５】
前記検出部は、
前記表示部から予め定められた範囲内に存在する前記対象者を撮像する撮像部を有し、前記撮像部によって撮像された画像情報に基づいて、前記対象者の状態を検出する
ことを特徴とする請求項１から請求項１４のいずれか１項に記載の表示装置。
【請求項１６】
請求項１からから請求項１４のいずれか１項に記載の表示装置を複数備え、
複数の前記表示装置が連携して、前記対象者の状態に応じた前記広告情報を前記表示部に表示させる
ことを特徴とする表示システム。
【発明の詳細な説明】
【技術分野】
【０００１】
本発明は、表示装置、及び表示システムに関する。
【背景技術】
【０００２】
近年、不特定多数の対象者に向けて広告情報を表示する表示装置が知られている（例えば、特許文献１を参照）。このような表示装置は、対象者に同じ広告情報を表示している。
【先行技術文献】
【特許文献】
【０００３】
【特許文献１】特開２００３−２３５０５８号公報
【発明の概要】
【発明が解決しようとする課題】
【０００４】
しかしながら、上述したような表示装置は、対象者が個々に必要な情報ではなく、総花的な内容を表示していた。すなわち、上述したような表示装置では、表示される広告情報は、単純に伝えたい側の情報伝達のみで、見る側の対象者が必要とする広告情報のニーズに応えられていない。そのため、上述したような表示装置は、対象者に対して適切な広告情報を表示できずに、宣伝効率が低いという問題があった。
【０００５】
本発明は、上記問題を解決すべくなされたもので、その目的は、対象者に対して宣伝効率を向上させることができる表示装置、及び表示システムを提供することにある。
【課題を解決するための手段】
【０００６】
上記問題を解決するために、本発明一実施形態は、広告情報を表示する表示部と、前記広告情報を提供する対象者の移動速度を少なくとも含む前記対象者の状態を検出する検出部と、前記検出部によって検出された前記対象者の状態に基づいて前記表示部に表示させる広告情報を変更する制御部と、を備えることを特徴とする表示装置である。
【０００７】
また、本発明一実施形態は、上記に記載の表示装置を複数備え、複数の前記表示装置が連携して、前記状態情報に応じた広告情報を前記表示部に表示させることを特徴とする表示システムである。
【発明の効果】
【０００８】
本発明によれば、表示装置、及び表示システムは、対象者に対して宣伝効率を向上させることができる。
【図面の簡単な説明】
【０００９】
【図１】第１の実施形態による表示装置を示す模式図である。
【図２】第１の実施形態における表示装置の構成を示す概略ブロック図である。
【図３】第１の実施形態における広告情報記憶部の情報記憶の一例を示す図である。
【図４】第１の実施形態における移動速度と距離とに対応する広告情報を示す図である。
【図５】第１の実施形態における表示処理を示すフローチャートである。
【図６】第１の実施形態における表示装置の第１の動作例を示す図である。
【図７】第１の実施形態における表示装置の第２の動作例を示す図である。
【図８】第１の実施形態における表示装置の第３の動作例を示す図である。
【図９】第２の実施形態における表示装置の構成を示す概略ブロック図である。
【図１０】第２の実施形態における表示処理を示すフローチャートである。
【図１１】第２の実施形態における表示装置の動作例を示す図である。
【図１２】第３の実施形態における表示装置の構成を示す概略ブロック図である。
【図１３】第３の実施形態における表示の一例を示す図である。
【図１４】第４の実施形態における表示装置の構成を示す概略ブロック図である。
【図１５】第４の実施形態における表示の一例を示す図である。
【図１６】第５の実施形態における表示システムを示す模式図である。
【発明を実施するための形態】
【００１０】
以下、本発明の一実施形態による表示装置について図面を参照して説明する。
【００１１】
［第１の実施形態］
図１は、第１の実施形態による表示装置１を示す模式図である。
また、図２は、第１の実施形態における表示装置の構成を示す概略ブロック図である。
図１及び図２において、表示装置１は、表示部２、撮像部３１、及び表示処理部４を備えている。また、表示処理部４は、状態検出処理部３０、制御部４０、及び広告情報記憶部５を備えている。なお、撮像部３１と状態検出処理部３０とは、状態検出部３に対応する。すなわち、状態検出部３は、撮像部３１と状態検出処理部３０とを有している。
【００１２】
図１において、表示装置１は、例えば、柱状の表示装置であり、自装置の周囲に存在する人（対象者）に広告情報を表示する例えばデジタルサイネージ装置である。表示装置１は、柱状の部分の中央部に表示部２が配置され、表示装置１の上部に撮像部３１が配置されている。
【００１３】
表示部２は、例えば、液晶ディスプレイであり、上述したように、柱状の部分の中央部に配置されている。表示部２は、制御部４０から供給された広告情報を表示する。ここで、広告情報とは、商品、店舗、サービス、事業などの宣伝情報であり、文字情報及び画像情報が含まれる。また、画像情報には、動画像と静止画像とが含まれる。表示部２は、制御部４０が指定した表示面における位置に、広告情報を表示する。
【００１４】
状態検出部３（検出部）は、例えば、撮像部３１によって撮像された画像情報に基づいて、対象者の状態を検出する。ここで、対象者とは、広告情報を提供する対象となる人のことであり、表示装置１の周囲に存在する人のことである。また、対象者の状態には、少なくとも対象者の移動速度が含まれる。本実施形態では、対象者の状態は、対象者の移動速度、対象者と表示部２との間の距離を示す対象者の距離、及び対象者の移動方向である。すなわち、状態検出部３は、対象者の移動速度、対象者の距離、及び対象者の移動方向を対象者の状態として検出する。状態検出部３は、検出した対象者の状態を制御部４０に供給する。
【００１５】
撮像部３１は、図１に示すように、例えば、表示装置１の上部に配置され、広角撮像（広範囲の撮像、例えば、１８０度や３６０度全方位などの撮像）が可能な撮像装置である。撮像部３１は、表示部２から予め定められた範囲内に存在する対象者を撮像する。撮像部３１は、撮像した画像情報を状態検出処理部３０に供給する。
【００１６】
状態検出処理部３０は、撮像部３１から供給された画像情報に基づいて、対象者を検出し、画像情報に基づいて上述した対象者の状態を検出する処理を行う。状態検出処理部３０は、例えば、撮像部３１から供給された画像情報から移動物体を検出し、形状、肌の色などを抽出することにより、移動物体が人間（対象者）であるか否かを検出する。状態検出処理部３０は、対象者を検出した場合に、検出した対象者の情報と対象者の状態を制御部４０に供給する。また、状態検出処理部３０は、速度検出処理部３２、距離検出処理部３３、及び方向検出処理部３４を備えている。
【００１７】
速度検出処理部３２は、撮像部３１から供給された画像情報に基づいて、対象者の移動速度を検出する処理を行う。速度検出処理部３２は、例えば、画像情報内における対象者の位置の変位から対象者の移動速度を検出する処理を行う。
距離検出処理部３３は、撮像部３１から供給された画像情報に基づいて、対象者の距離を検出する処理を行う。距離検出処理部３３は、例えば、画像情報内における対象者の位置から対象者の位置を検出する処理を行う。なお、
方向検出処理部３４は、撮像部３１から供給された画像情報に基づいて、対象者の移動方向を検出する処理を行う。方向検出処理部３４は、例えば、画像情報内における対象者の位置の変位から対象者の移動方向を検出する処理を行う。
【００１８】
広告情報記憶部５（記憶部）は、対象者の状態と表示部２に表示する広告情報とを対応付けて予め記憶している。広告情報記憶部５に予め記憶されている広告情報は、表示部２に表示して、対象者に提供する情報である。この広告情報記憶部５に予め記憶されている広告情報は、対象者の状態に基づいて、制御部４０によって読み出される。
広告情報記憶部５は、例えば、図３に示されるように、速度情報領域５１、距離情報領域５２、及び広告情報領域５３を有している。この例では、速度情報領域５１及び距離情報領域５２に記憶されている対象者の移動速度及び対象者の距離に対応付けられて、広告情報が広告情報領域５３に記憶されている。
【００１９】
制御部４０は、状態検出部３によって検出された対象者の状態に対応する広告情報を、広告情報記憶部５から読み出し、読み出した広告情報を表示部２に表示させる。つまり、制御部４０は、状態検出部３によって検出された対象者の状態に基づいて表示部２に表示させる広告情報を変更する。
【００２０】
具体的に、制御部４０は、状態検出部３によって検出された対象者の移動速度と対象者の距離とに応じて、表示部２に表示させる広告情報を変更する。また、制御部４０は、状態検出部３によって検出された対象者の移動方向に応じて、広告情報を表示部２に表示させる位置を変更する。
また、制御部４０は、表示情報変更部４１と、表示位置変更部４２とを備えている。
【００２１】
表示位置変更部４２は、状態検出部３によって検出された対象者の移動方向に応じて、広告情報を表示部２に表示させる位置を変更する。例えば、表示位置変更部４２は、対象者の移動方向から対象者の視線又は視界（視野角）を推定し、推定した視線又は視界（視野角）に対応した表示部２の表示面内の位置情報を生成する。
【００２２】
表示情報変更部４１は、状態検出部３によって検出された対象者の移動速度と対象者の距離とに応じて、表示部２に表示させる広告情報を変更する。例えば、図４に示すように、表示情報変更部４１は、対象者の移動速度が予め定められた速度閾値以上である場合に、広告情報として静止画像を選択する。また、表示情報変更部４１は、例えば、対象者の移動速度が上述の速度閾値未満である場合に、広告情報として動画像を選択する。
ここで、図４は、本実施形態における対象者の移動速度と対象者の距離とに対応する広告情報を示す図である。
【００２３】
また、図４に示すように、表示情報変更部４１は、例えば、対象者の移動速度が予め定められた速度閾値以上である場合、且つ、対象者の距離が予め定められた距離閾値以上である場合に、対象者の距離が距離閾値未満である場合よりコントラスト値が高い静止画像を広告情報として選択する。これは、対象者の移動速度が速く、対象者の距離が遠い場合（第１の場合）である。この場合、表示情報変更部４１は、対象者の目に付き、気付いてもらい易い静止画を広告情報として選択する。
【００２４】
また、表示情報変更部４１は、例えば、対象者の移動速度が速度閾値以上である場合、且つ、対象者の距離が距離閾値未満である場合に、対象者の距離が距離閾値以上である場合より情報量を減らした静止画像を広告情報として選択する。これは、対象者の移動速度が速く、対象者の距離が近い場合（第２の場合）である。この場合、表示情報変更部４１は、主として訴えたい情報を１枚の静止画で表現し、情報量を減らした静止画を広告情報として選択する。
【００２５】
また、表示情報変更部４１は、例えば、対象者の移動速度が速度閾値未満である場合、且つ、対象者の距離が距離閾値以上である場合に、対象者の距離が距離閾値未満である場合よりイメージ画像を増やした動画像を広告情報として選択する。これは、対象者の移動速度が遅く、対象者の距離が遠い場合（第３の場合）である。この場合、表示情報変更部４１は、直感型の動画像を広告情報として選択する。ここで、直感型の動画像とは、提供したい宣伝内容（広告内容）について、普段目にすることが多い関連画像を用いたテレビのコマーシャル動画像などで直感的にわかりやすい動画像ある。直感型の動画像は、商品などの宣伝内容の説明よりもイメージ画像を重視したイメージアドな動画像であってもよい。
【００２６】
また、表示情報変更部４１は、例えば、対象者の移動速度が速度閾値未満である場合、且つ、対象者の距離が距離閾値未満である場合に、対象者の距離が距離閾値以上である場合より説明情報を増やした動画像を広告情報として選択する。これは、対象者の移動速度が遅く、対象者の距離が近い場合（第４の場合）である。この場合、表示情報変更部４１は、説明型の動画像を広告情報として選択する。ここで、説明型の動画像とは、提供したい宣伝内容（広告内容）について、画像情報、文字情報を使って時間をかけて理解が進む形式の動画像であり、じっくり説明するような動画像である。説明型の動画像は、説明情報を増やした動画像であってもよい。
【００２７】
なお、表示情報変更部４１は、表示部２に表示させる広告情報を選択する場合、対象者の移動速度と対象者の距離とに対応付けられて広告情報記憶部５に記憶されている広告情報（図３参照）を広告情報記憶部５から読み出すことによって、広告情報を選択する。
【００２８】
制御部４０は、表示情報変更部４１が選択（変更）した広告情報を、表示位置変更部４２が生成した位置情報に対応した表示部２における表示面内の位置に表示させる。
このように、制御部４０は、例えば、対象者の移動速度が予め定められた速度閾値以上である場合に、広告情報として静止画像を表示部２に表示させる。また、制御部４０は、例えば、対象者の移動速度が上述の速度閾値未満である場合に、広告情報として動画像を表示部２に表示させる。
【００２９】
また、制御部４０は、例えば、対象者の移動速度が予め定められた速度閾値以上である場合、且つ、対象者の距離が予め定められた距離閾値以上である場合に、対象者の距離が距離閾値未満である場合よりコントラスト値を高めた静止画像を広告情報として表示部２に表示される。また、制御部４０は、例えば、対象者の移動速度が速度閾値以上である場合、且つ、対象者の距離が距離閾値未満である場合に、対象者の距離が距離閾値以上である場合より情報量を減らした静止画像を広告情報として表示部２に表示させる。また、制御部４０は、例えば、対象者の移動速度が速度閾値未満である場合、且つ、対象者の距離が距離閾値以上である場合に、対象者の距離が距離閾値未満である場合よりイメージ画像を増やした動画像を広告情報として表示部２に表示させる。また、制御部４０は、例えば、対象者の移動速度が速度閾値未満である場合、且つ、対象者の距離が距離閾値未満である場合に、対象者の距離が距離閾値以上である場合より説明情報を増やした動画像を広告情報として表示部２に表示される。
【００３０】
次に、本実施形態における表示装置１の動作について説明する。
図５は、本実施形態における表示装置１の表示処理を示すフローチャートである。
この図において、まず、表示装置１は状態検出部３が対象者を検出したか否かを判定する（ステップＳ１０１）。すなわち、状態検出部３の状態検出処理部３０は、撮像部３１から供給された画像情報に基づいて、対象者を検出する処理を行う。制御部４０は、状態検出処理部３０による対象者の検出結果に基づいて、特定の広告情報を提供する対象者が周囲に存在するか否かを判定する、制御部４０は、対象者が周囲に存在しないと判定した場合に、処理をステップＳ１０２に進め、対象者が周囲に存在すると判定した場合に、処理をステップＳ１０３に進める。
【００３１】
ステップＳ１０２において、制御部４０は、不特定多数向けの総花的な内容の広告情報を表示部２に表示させて、処理をステップＳ１０１に戻す。
【００３２】
次に、ステップＳ１０３において、表示装置１は、対象者の状態として、対象者の距離、対象者の移動速度、及び対象者の移動方向を検出する。すなわち、状態検出部３の状態検出処理部３０は、撮像部３１から供給された画像情報に基づいて、対象者の距離、対象者の移動速度、及び対象者の移動方向を対象者の状態として検出する。状態検出処理部３０は、検出した対象者の状態を制御部４０に供給する。なお、対象者の移動速度は速度検出処理部３２によって、対象者の距離は距離検出処理部３３によって、対象者の移動方向は方向検出処理部３４によって、それぞれ検出処理が行われる。
【００３３】
次に、表示装置１は、状態検出部３が検出した対象者の距離と対象者の移動速度とに基づいて、処理を分岐させる（ステップＳ１０４）。すなわち、制御部４０は、表示部２に表示させる広告情報を変更するために、状態検出処理部３０から供給された対象者の距離と対象者の移動速度とにより、処理をステップＳ１０５〜ステップＳ１０８のいずれかに分岐させる。ここで、ステップＳ１０５の処理は、上述した第１の場合に対応し、ステップＳ１０６の処理は、上述した第２の場合に対応する。また、ステップＳ１０７の処理は、上述した第３の場合に対応し、ステップＳ１０８の処理は、上述した第４の場合に対応する。これにより、対象者の状態（対象者の移動速度及び対象者の距離）に対応した適切な情報（図４参照）が広告情報として選択される。
【００３４】
ステップＳ１０５において、制御部４０は、対象者の距離が距離閾値未満である場合よりコントラスト値が高い静止画像を広告情報として選択する。すなわち、制御部４０の表示情報変更部４１は、対象者の移動速度と対象者の距離とに対応付けられて広告情報記憶部５に記憶されている広告情報（例えば、図３のコントラスト値が高い静止画像Ｄ）を広告情報記憶部５から読み出すことによって、広告情報を選択する。制御部４０は、処理をステップＳ１０９に進める。
【００３５】
また、ステップＳ１０６において、制御部４０は、対象者の距離が距離閾値以上である場合より情報量を限定した静止画像を広告情報として選択する。すなわち、制御部４０の表示情報変更部４１は、対象者の移動速度と対象者の距離とに対応付けられて広告情報記憶部５に記憶されている広告情報（例えば、図３の情報量を限定した静止画像Ｃ）を広告情報記憶部５から読み出すことによって、広告情報を選択する。制御部４０は、処理をステップＳ１０９に進める。
【００３６】
また、ステップＳ１０７において、制御部４０は、直感型の動画像を広告情報として選択する。すなわち、制御部４０の表示情報変更部４１は、対象者の移動速度と対象者の距離とに対応付けられて広告情報記憶部５に記憶されている広告情報（例えば、図３の直感型の動画像Ｂ）を広告情報記憶部５から読み出すことによって、広告情報を選択する。制御部４０は、処理をステップＳ１０９に進める。
【００３７】
また、ステップＳ１０８において、制御部４０は、説明型の動画像を広告情報として選択する。すなわち、制御部４０の表示情報変更部４１は、対象者の移動速度と対象者の距離とに対応付けられて広告情報記憶部５に記憶されている広告情報（例えば、図３の説明型の動画像Ａ）を広告情報記憶部５から読み出すことによって、広告情報を選択する。制御部４０は、処理をステップＳ１０９に進める。
【００３８】
次に、表示装置１は、選択した画像を対象者の移動方向に応じた表示部２の位置に表示する（ステップＳ１０９）。すなわち、制御部４０の表示位置変更部４２は、対象者の移動方向から対象者の視線又は視界（視野角）を推定し、推定した視線又は視界（視野角）に対応した表示部２の表示面内の位置情報を生成する。制御部４０は、表示情報変更部４１が選択（変更）した広告情報を、表示位置変更部４２が生成した位置情報に対応した表示部２における表示面内の位置に表示させる。次に、制御部４０は、処理をステップＳ１０１に戻す。これにより、表示装置１は、ステップＳ１０１〜ステップＳ１０９の処理を繰り返す。
【００３９】
このように、表示装置１は、広告情報を提供する対象者が周囲に存在する場合に、対象者の状態に応じた広告情報に変更して表示部２に表示する。
【００４０】
次に、本実施形態における表示装置１の動作の具体例について説明する。
図６は、本実施形態における表示装置１の第１の動作例を示す図である。
ここで、図６（ａ）は表示装置１の表示例を示し、図６（ｂ）が図６（ａ）に対応する鳥瞰図を示している。
この図では、表示装置１の周囲に１人の対象者Ｕ１が存在し、対象者Ｕ１の距離Ｒ１が例えば、１ｍ（メートル）〜２ｍ（距離閾値未満）で、対象者Ｕ１の移動速度Ｖ１が遅い（速度閾値未満）である場合の例を示している。
【００４１】
図６において、対象者Ｕ１の状態は、対象者Ｕ１の移動速度Ｖ１が遅く、対象者Ｕ１の距離Ｒ１が近い場合（上述した第４の場合）に対応する。この場合、表示装置１の制御部４０は、対象者Ｕ１の移動速度Ｖ１が遅いため、動画像が静止画像よりも効果的に広告情報を提供することがでると判定する。また、制御部４０は、対象者Ｕ１の距離Ｒ１が近いため、じっくり説明する説明的な内容が直感的な内容よりも効果的に広告情報を提供することができると判定する。そのため、表示情報変更部４１は、図６（ａ）の示すような説明型の動画像Ｇ１を広告情報として選択する。また、表示位置変更部４２は、状態検出部３によって検出された対象者Ｕ１の移動方向に応じて、表示部２の表示面内の位置情報を生成する。つまり、表示位置変更部４２は、対象者が表示装置１に対して向かってくるのか、平行に歩いているのかなどに応じて、表示位置を変更する。その結果、表示装置１は、表示位置変更部４２が生成した位置情報に対応した表示位置に説明型の動画像Ｇ１を表示する。
【００４２】
また、図７は、本実施形態における表示装置１の第２の動作例を示す図である。
ここで、図７（ａ）は表示装置１の表示例を示し、図７（ｂ）が図７（ａ）に対応する鳥瞰図を示している。
この図では、表示装置１の周囲に１人の対象者Ｕ２が存在し、対象者Ｕ２の距離Ｒ２が例えば、５ｍ〜１０ｍ（距離閾値以上）で、対象者Ｕ２の移動速度Ｖ２が速い（速度閾値以上）である場合の例を示している。
【００４３】
図７において、対象者Ｕ２の状態は、対象者Ｕ２の移動速度Ｖ２が速く、対象者Ｕ２の距離Ｒ２が遠い場合（上述した第１の場合）に対応する。この場合、表示装置１の制御部４０は、対象者Ｕ２の移動速度Ｖ２が速いため、静止画像が動画像よりも効果的に広告情報を提供することがでると判定する。また、制御部４０は、対象者Ｕ２の距離Ｒ２が遠いため、コントラスト値の高いインパクトのある画像が効果的に広告情報を提供することができると判定する。そのため、表示情報変更部４１は、図７（ａ）の示すようなコントラスト値の高い静止画像Ｇ２を広告情報として選択する。また、表示位置変更部４２は、状態検出部３によって検出された対象者Ｕ２の移動方向に応じて、表示部２の表示面内の位置情報を生成する。つまり、表示位置変更部４２は、対象者が表示装置１に対して向かってくるのか、平行に歩いているのかなどに応じて、表示位置を変更する。その結果、表示装置１は、表示位置変更部４２が生成した位置情報に対応した表示位置にコントラスト値の高い静止画像Ｇ２を表示する。
【００４４】
また、図８は、本実施形態における表示装置１の第３の動作例を示す図である。
この例では、対象者が複数存在する場合の一例について説明する。
ここで、図８（ａ）は表示装置１の表示例を示し、図８（ｂ）が図８（ａ）に対応する鳥瞰図を示している。
この図では、表示装置１の周囲に２人の対象者Ｕ１及び対象者Ｕ２が存在する。ここでは、対象者Ｕ１の距離Ｒ１が例えば、１ｍ（メートル）〜２ｍ（距離閾値未満）で、対象者Ｕ１の移動速度Ｖ１が遅い（速度閾値未満）であり、対象者Ｕ２の距離Ｒ２が例えば、５ｍ〜１０ｍ（距離閾値以上）で、対象者Ｕ２の移動速度Ｖ２が速い（速度閾値以上）である場合の例を示している。
【００４５】
図８において、対象者Ｕ１の状態は、対象者Ｕ１の移動速度Ｖ１が遅く、対象者Ｕ１の距離Ｒ１が近い場合（上述した第４の場合）に対応する。また、対象者Ｕ２の状態は、対象者Ｕ２の移動速度Ｖ２が速く、対象者Ｕ２の距離Ｒ２が遠い場合（上述した第１の場合）に対応する。この場合、表示装置１は、対象者Ｕ１に対して、図６の場合と同様に説明型の動画像Ｇ１を表示部２に表示し、対象者Ｕ２に対して、図７の場合と同様にコントラスト値の高い静止画像Ｇ２を表示部２に表示する。すなわち、表示部２には、説明型の動画像Ｇ１とコントラスト値の高い静止画像Ｇ２の両方の広告情報が表示される。
このように、表示装置１は、対象者Ｕ１と対象者Ｕ２とのそれぞれの対象者の状態に対応した広告情報を表示させる。
【００４６】
以上のように、本実施形態における表示装置１は、状態検出部３が、広告情報を提供する対象者の移動速度を少なくとも含む対象者の状態を検出する。制御部４０は、状態検出部３によって検出された対象者の状態に基づいて表示部２に表示させる広告情報を変更する。表示部２は、制御部４０によって変更された広告情報を表示する。
すなわち、表示部２に表示される広告情報は、対象者の状態に対応した広告情報である。そのため、本実施形態における表示装置１は、対象者に対して適切な広告情報を表示することができ、宣伝効率を向上させることができる。
また、本実施形態における表示装置１は、広告情報を提供される側の対象者が必要とする広告情報のニーズに応えることができる。
【００４７】
また、本実施形態において、対象者の状態には、対象者の移動速度と、対象者と表示部２との間の距離を示す対象者の距離とが含まれる。そして、状態検出部３は、対象者の移動速度と対象者の距離とを検出し、制御部４０は、状態検出部３によって検出された移動速度と対象者の距離とに応じて、表示部２に表示させる広告情報を変更する。
すなわち、表示装置１は、対象者の移動速度と対象者の距離とをパラメータに、対象者に表示する広告情報の内容を変更する。これにより、本実施形態における表示装置１は、対象者の移動速度と対象者の距離とをパラメータとした対象者の状態に応じて、適切な広告情報をできるので、宣伝効率を向上させることができる。
【００４８】
また、本実施形態において、制御部４０は、対象者の移動速度が予め定められた速度閾値以上である場合に、広告情報として静止画像を表示部２に表示させ、対象者の移動速度が速度閾値未満である場合に、広告情報として動画像を表示部２に表示させる。つまり、制御部４０は、対象者の移動速度が速い場合に、広告情報として静止画像を表示部２に表示させ、対象者の移動速度が遅い場合に、広告情報として動画像を表示部２に表示させる。
【００４９】
例えば、対象者の移動速度が速い場合、対象者は、表示装置１の周囲を短い時間により通過する可能性が高い。そのため、表示装置１は、静止画像を広告情報として表示部２に表示することにより、宣伝効率を向上させることができる。また、対象者の移動速度が遅い場合、対象者は、表示装置１の周囲を長い時間をかけて通過する可能性が高い。そのため、表示装置１は、動画像を広告情報として表示部２に表示することにより、宣伝効率を向上させることができる。
【００５０】
また、本実施形態において、制御部４０は、対象者の移動速度が予め定められた速度閾値以上である場合、且つ、対象者の距離が予め定められた距離閾値以上である場合に、対象者の距離が距離閾値未満である場合よりコントラスト値を高めた静止画像を広告情報として表示部２に表示させる。また、制御部４０は、対象者の移動速度が速度閾値以上である場合、且つ、対象者の距離が距離閾値未満である場合に、対象者の距離が距離閾値以上である場合より情報量を減らした静止画像を広告情報として表示部２に表示させる。また、制御部４０は、対象者の移動速度が速度閾値未満である場合、且つ、対象者の距離が距離閾値以上である場合に、対象者の距離が距離閾値未満である場合よりイメージ画像を増やした動画像を広告情報として表示部２に表示させる。また、制御部４０は、対象者の移動速度が速度閾値未満である場合、且つ、対象者の距離が距離閾値未満である場合に、対象者の距離が距離閾値以上である場合より説明情報を増やした動画像を広告情報として表示部２に表示させる。
【００５１】
すなわち、本実施形態における表示装置１は、上述した第１の場合〜第4の場合の各場合によって、表示する広告情報の内容を変更する。これにより、表示装置１は、対象者の移動速度と対象者の距離とをパラメータとした対象者の状態に応じて、適切な広告情報をできるので、宣伝効率を向上させることができる。
【００５２】
また、本実施形態において、対象者の状態には、対象者の移動方向が含まれる。状態検出部３が、移動方向を検出し、制御部４０が、状態検出部３によって検出された移動方向に応じて、広告情報を表示部２に表示させる位置を変更する。
これにより、本実施形態における表示装置１は、対象者の移動方向に応じた適切な表示位置に、広告情報を表示することができるため、宣伝効率を向上させることができる。
【００５３】
また、本実施形態において、広告情報記憶部５は、対象者の状態と表示する広告情報とを対応付けて予め記憶している。制御部４０は、状態検出部３によって検出された対象者の状態に対応する広告情報を、広告情報記憶部５から読み出し、読み出した広告情報を表示部２に表示させる。
この場合、表示装置１は、広告情報記憶部５に予め記憶されている（用意されている）広告情報を対象者の状態に応じて選択するだけで、対象者の状態に応じた適切な広告情報を容易に表示部２に表示することができる。つまり、本実施形態における表示装置１は、簡易な構成により対象者の移動方向に応じた適切な広告情報を選択することができる。そのため、本実施形態における表示装置１は、簡易な構成により宣伝効率を向上させることができる。
【００５４】
また、本実施形態において、状態検出部３は、表示部２から予め定められた範囲以内に存在する対象者を撮像する撮像部３１を有し、撮像部３１によって撮像された画像情報に基づいて、対象者の状態を検出する。
これにより、本実施形態における表示装置１は、簡易な構成により対象者の状態を検出することができる。
【００５５】
なお、本実施形態において、制御部４０は、状態検出部３によって検出された対象者の移動速度、対象者の移動方向、及び対象者の距離に基づいて、対象者が広告情報を見ている期間（又は視野角に入っている期間）を算出し、算出した期間に基づいて、広告情報を表示する期間を変更してもよい。例えば、対象者の距離が遠い対象者は、広告情報を長く見ている可能性が高い。この場合、表示装置１は、この対象者に向けた広告情報を表示する期間を長くしてもよい。
【００５６】
次に、第２の実施形態による表示装置１ａについて説明する。
［第２の実施形態］
図９は、第２の実施形態における表示装置１ａの構成を示す概略ブロック図である。
この図において、図２と同一の構成については同一の符号を付し、その説明を省略する。
図９において、表示装置１ａは、表示部２、撮像部３１、及び表示処理部４を備えている。また、表示処理部４は、状態検出処理部３０ａ、制御部４０ａ、及び広告情報記憶部５を備えている。また、撮像部３１と状態検出処理部３０ａとは、状態検出部３に対応する。なお、表示装置１ａの外観は、図１に示される表示装置１と同様である。
【００５７】
本実施形態では、状態検出処理部３０ａ及び制御部４０ａの構成が、第１の実施形態における表示装置１と異なる。
状態検出処理部３０ａは、速度検出処理部３２、距離検出処理部３３、方向検出処理部３４、及び身長検出処理部３５を備えている。状態検出処理部３０ａは、身長検出処理部３５を備えている点を除き、第１の実施形態における状態検出処理部３０と同様である。
身長検出処理部３５は、撮像部３１から供給された画像情報に基づいて、対象者の身長を検出する処理を行う。身長検出処理部３５は、例えば、画像情報内における対象者の位置と縦方向の大きさから対象者の身長を検出する処理を行う。
すなわち、本実施形態では、対象者の状態は、対象者の移動速度、対象者の距離、対象者の移動方向、及び対象者の身長である。すなわち、状態検出部３は、対象者の移動速度、対象者の距離、対象者の移動方向、及び対象者の身長を対象者の状態として検出する。
【００５８】
制御部４０ａは、上述した第１の実施形態における制御部４０の機能に加えて、さらに以下の機能を有している。制御部４０ａは、状態検出部３によって検出された対象者の距離に応じて、広告情報を表示部２に表示させる表示サイズを変更する。例えば、制御部４０ａは、対象者の距離が遠い場合には、対象者の距離が近い場合よりも表示サイズを大きく変更する。
また、制御部４０ａは、状態検出部３によって検出された対象者の移動方向と対象者の移動速度とに応じて、広告情報を表示部２に表示させる位置を移動させる。例えば、制御部４０ａは、対象者の移動に合わせて、広告情報を表示する位置を移動させて、表示部２に表示させる。つまり、制御部４０ａは、対象者の移動に追随させて広告情報を表示部２表示する。
また、制御部４０ａは、状態検出部３によって検出された対象者の身長に応じて、広告情報を表示部２に表示させる位置を変更する。例えば、制御部４０ａは、対象者の身長が高い場合に、対象者の身長が低い場合より高い位置に広告情報を表示させる。
【００５９】
また、制御部４０ａは、表示情報変更部４１、表示位置変更部４２、及び画像処理部４３を備えている。
画像処理部４３は、表示情報変更部４１によって選択された広告情報の画像を、対象者の距離に応じて、表示サイズを変更する。画像処理部４３は、例えば、対象者の距離が遠い場合には、対象者の距離が近い場合よりも表示サイズを大きく変更する。また、画像処理部４３は、例えば、対象者の距離が近い場合には、対象者の距離が遠い場合よりも表示サイズを小さく変更する。
【００６０】
なお、本実施形態では、表示位置変更部４２は、対象者の移動方向と対象者の移動速度とに応じて、広告情報を表示部２に表示させる位置を移動させる。また、表示位置変更部４２は、対象者の身長に応じて、広告情報を表示部２に表示させる位置を変更する。例えば、表示位置変更部４２は、対象者の身長から対象者の目の高さを推定し、推定した目の高さに基づいて、広告情報を表示部２に表示させる高さ位置を変更する。
【００６１】
次に、本実施形態における表示装置１ａの動作について説明する。
図１０は、本実施形態における表示装置１ａの表示処理を示すフローチャートである。
この図において、ステップＳ２０１〜ステップＳ２０８の処理は、図５のステップＳ１０１〜ステップＳ１０８の処理に対応し、第１の実施形態における表示装置１の処理と同様である。なお、本実施形態では、ステップＳ２０３において、状態検出部３の状態検出処理部３０ａは、撮像部３１から供給された画像情報に基づいて、対象者の距離、対象者の移動速度、対象者の移動方向、及び対象者の身長を対象者の状態として検出する。対象者の身長は身長検出処理部３５によって、検出処理が行われる。
以下、ステップＳ２０９以降の処理について詳細に説明する。
【００６２】
ステップＳ２０９において、表示装置１ａは、選択した広告情報の画像材図を対象者の距離に応じて変更する。すなわち、制御部４０ａの画像処理部４３は、表示情報変更部４１によって選択された広告情報の画像を、対象者の距離に応じて、表示サイズを変更する。画像処理部４３は、例えば、対象者の距離が遠い場合には、対象者の距離が近い場合よりも表示サイズを大きく変更する。また、画像処理部４３は、例えば、対象者の距離が近い場合には、対象者の距離が遠い場合よりも表示サイズを小さく変更する。
【００６３】
次に、表示装置１ａは、選択した画像を対象者の移動方向と対象者の身長とに応じた表示部２の位置に表示する（ステップＳ２１０）。すなわち、制御部４０ａの表示位置変更部４２は、対象者の移動方向と対象者の身長とに基づいて対象者の視線又は視界（視野角）を推定し、推定した視線又は視界（視野角）に対応した表示部２の表示面内の位置情報を生成する。制御部４０ａは、表示情報変更部４１が選択（変更）した広告情報を、表示位置変更部４２が生成した位置情報に対応した表示部２における表示面内の位置に、画像処理部４３が変更した表示サイズで表示させる。ここで、表示装置１ａは、対象者の身長が高い場合に、対象者の身長に対応した高い位置に広告情報を表示し、対象者の身長が低い場合に、対象者の身長に対応した低い位置に広告情報を表示する。また、表示装置１ａは、対象者の距離が遠い場合に、大きい表示サイズで広告情報を表示し、対象者の距離が近い場合に表示サイズで広告情報を表示する。
【００６４】
次に、表示装置１ａは、再度、対象者の移動速度、対象者の距離、及び対象者の移動方向を検出する（ステップＳ２１１）。すなわち、状態検出部３は、対象者の移動速度、対象者の距離、及び対象者の移動方向を対象者の状態として検出する。
【００６５】
次に、表示装置１ａは、選択した画像を対象者の移動方向と対象者の移動速度とに応じて、表示位置を移動させる（ステップＳ２１２）。すなわち、制御部４０ａの表示位置変更部４２は、広告情報を表示部２に表示させる位置を移動させる。
【００６６】
次に、表示装置１ａは、対象者が検出不可か否かを判定する（ステップＳ２１３）。すなわち、制御部４０ａは、状態検出部３による対象者の検出結果に基づいて、対象者が移動して、検出できない場所（上述した予め定められた範囲外）に移動したか否かを検出する。制御部４０ａは、検出できない場所に移動したと判定した場合に、処理をステップＳ２０１に戻す。また、制御部４０ａは、検出できない場所に移動していない判定した場合に、処理をステップＳ２１１に戻し、ステップＳ２１１〜ステップＳ２１３の処理を繰り返す。すなわち、表示装置１ａは、対象者の移動に合わせて、広告情報の表示位置を追随させる。
【００６７】
このように、表示装置１ａは、対象者の距離に応じて、広告情報の表示サイズを変更し、対象者の身長に応じて、広告情報表示する高さを変更する。また、表示装置１ａは、対象者の移動に合わせて、広告情報の表示位置を変更させる。
【００６８】
次に、上述したステップＳ２１１〜ステップＳ２１３の処理である、対象者の移動に合わせて、広告情報の表示位置を追随させる動作の一例を説明する。
図１１は、本実施形態における表示装置１ａの動作の一例を示す図である。
この図では、表示装置１ａの周囲に対象者Ｕ３が存在し、移動速度Ｖ３で移動している。ここでは、位置Ａ〜Ｃに対応する対象者Ｕ３をそれぞれ、対象者Ｕ３Ａ〜Ｕ３Ｃとし、その移動速度を速度Ｖ３Ａ〜Ｖ３Ｃとして説明する。
【００６９】
表示装置１ａは、位置Ａにおける対象者Ｕ３Ａに対して画像Ｇ３Ａの位置に広告情報を表示する。すなわち、制御部４０ａは、表示情報変更部４１が選択（変更）した広告情報Ｇ３を、表示位置変更部４２が生成した位置情報に対応した表示部２における表示面内の位置（画像Ｇ３Ａの位置）に、画像処理部４３が変更した表示サイズで表示させる。
なお、この表示位置（画像Ｇ３Ａの位置）は、表示位置変更部４２が対象者の移動速度（Ｖ３Ａ）、対象者の移動方向、及び対象者の身長に基づいて定める。
【００７０】
次に、同様に、対象者Ｕ３が位置Ｂに移動した場合、表示装置１ａは、位置Ｂにおける対象者Ｕ３Ｂに対して画像Ｇ３Ｂの位置に広告情報を表示する。この表示位置（画像Ｇ３Ｂの位置）は、表示位置変更部４２が対象者の移動速度（Ｖ３Ｂ）、対象者の移動方向、及び対象者の身長に基づいて定める。
【００７１】
次に、同様に、対象者Ｕ３が位置Ｃに移動した場合、表示装置１ａは、位置Ｃにおける対象者Ｕ３Ｃに対して画像Ｇ３Ｃの位置に広告情報を表示する。この表示位置（画像Ｇ３Ｃの位置）は、表示位置変更部４２が対象者の移動速度（Ｖ３Ｃ）、対象者の移動方向、及び対象者の身長に基づいて定める。
このように、本実施形態では、表示装置１ａは、対象者Ｕ３の移動に合わせて、広告情報の表示位置を追随させる。
【００７２】
以上のように、本実施形態では、制御部４０ａは、状態検出部３によって検出された対象者の距離に応じて、広告情報を表示部２に表示させる表示サイズを変更する。
これにより、本実施形態における表示装置１ａは、対象者にとって最適な表示サイズで広告情報を表示するため、宣伝効率を向上させることができる。
【００７３】
また、本実施形態では、制御部４０ａは、状態検出部３によって検出された対象者の移動方向と対象者の移動速度とに応じて、広告情報を表示部２に表示させる位置を移動させる。
これにより、表示装置１ａは、対象者が広告情報を見る期間を、表示位置を移動させない場合に比べて長くすることができる。また、対象者の移動に合わせて表示位置が変わるため、表示装置１ａは、対象者の注意を引くことができる。そのため、本実施形態における表示装置１ａは、宣伝効率を向上させることができる。
【００７４】
また、本実施形態では、対象者の状態には、対象者の身長が含まれる。状態検出部３が、対象者の身長を検出し、制御部４０ａが、状態検出部３によって検出された対象者の身長に応じて、広告情報を表示部２に表示させる位置を変更する。
これにより、本実施形態における表示装置１ａは、対象者にとって適切な高さ位置に、広告情報を表示することができる。そのため、本実施形態における表示装置１ａは、宣伝効率を向上させることができる。
【００７５】
次に、第３の実施形態による表示装置１ｂについて説明する。
［第３の実施形態］
図１２は、第３の実施形態における表示装置１ｂの構成を示す概略ブロック図である。
この図において、図２及び図９と同一の構成については同一の符号を付し、その説明を省略する。
図１２において、表示装置１ｂは、表示部２、撮像部３１、及び表示処理部４を備えている。また、表示処理部４は、状態検出処理部３０ｂ、制御部４０ａ、広告情報記憶部５、及び時刻検出部６を備えている。また、撮像部３１と状態検出処理部３０ｂとは、状態検出部３に対応する。なお、表示装置１ｂの外観は、図１に示される表示装置１と同様である。
【００７６】
本実施形態では、状態検出処理部３０ｂの構成が、第１及び第２の実施形態における表示装置１（１ａ）と異なり、さらに、表示処理部４は、時刻検出部６を備えている。
時刻検出部６は、例えば、時計回路であり、時刻を検出し、検出した時刻を制御部４０ａに供給する。
広告情報記憶部５は、対象者の状態と表示部２に表示する広告情報とを対応付けて予め記憶している。本実施形態において、広告情報記憶部５は、対象者の属性又は時刻情報と広告情報とを対応付けて予め記憶している。また、広告情報記憶部５は、例えば、ＱＲ（Quick Response）コード（登録商標）など二次元コードを追加情報として記憶している。広告情報記憶部５は、追加情報と広告情報とを対応付けて記憶している。
【００７７】
状態検出処理部３０ｂは、速度検出処理部３２、距離検出処理部３３、方向検出処理部３４、身長検出処理部３５、属性検出処理部３６、及び通信機器検出処理部３７を備えている。状態検出処理部３０ｂは、属性検出処理部３６、及び通信機器検出処理部３７を備えている点を除き、第２の実施形態における状態検出処理部３０ａと同様である。
属性検出処理部３６は、撮像部３１から供給された画像情報に基づいて、対象者の属性を検出する処理を行う。ここで対象者の属性とは、例えば、対象者の年齢、対象者の人数（グループか、個人かなども含む）、対象者の性別、又は対象者の職業などである。属性検出処理部３６は、例えば、画像情報内における対象者の服装や髪の長さ、歩く速度などの動きなどの画像認識手法を用いて対象者の属性を推定し、推定した対象者の属性を対象者の状態として検出する処理を行う。
【００７８】
通信機器検出処理部３７は、撮像部３１から供給された画像情報に基づいて、対象者が表示部２の表示から情報を読み取り可能な通信機器７（図１３参照、例えば、カメラ付き携帯電話）を所持しているか否かを示す通信機器所持状態を対象者の状態として検出する処理を行う。通信機器検出処理部３７は、例えば、パターンマッチング処理を用いて、画像情報内に携帯電話などの通信機器７を対象者が所持しているか否かを検出する。
【００７９】
なお、上述のように本実施形態では、対象者の状態は、対象者の移動速度、対象者の距離、対象者の移動方向、対象者の身長、対象者の属性、及び通信機器所持状態である。すなわち、状態検出部３は、対象者の移動速度、対象者の距離、対象者の移動方向、対象者の身長、対象者の属性、及び通信機器所持状態を対象者の状態として検出する。対象者の状態には、対象者の属性が含まれ、この対象者の属性には、推定される対象者の年齢、対象者の人数、対象者の性別、又は対象者の職業が含まれる。
【００８０】
本実施形態における制御部４０ａは、上述した第２の実施形態における制御部４０ａの機能に加えて、さらに以下の機能を有している。
制御部４０ａは、状態検出部３によって検出された対象者の属性に応じて、表示部２に表示させる広告情報を変更する。例えば、対象者の属性が女性である場合には、制御部４０ａは、女性向けの化粧品の広告情報に変更する。すなわち、制御部４０ａの表示情報変更部４１が、状態検出部３によって検出された対象者の属性に応じた広告情報を選択する。なお、表示情報変更部４１は、表示部２に表示させる広告情報を選択する場合、対象者の属性に対応付けられて広告情報記憶部５に記憶されている広告情報を広告情報記憶部５から読み出すことによって、広告情報を選択する。
【００８１】
また、制御部４０ａは、状態検出部３によって検出された通信機器所持状態に基づいて、ＱＲコード（登録商標）などの追加情報を表示部２に表示させる。例えば、対象者が通信機器７を所持している通信機器所持状態である場合に、制御部４０ａの画像処理部４３は、表示情報変更部４１によって選択された広告情報に、ＱＲコード（登録商標）などの追加情報を付加する合成処理を行う。
【００８２】
また、制御部４０ａは、時刻に応じて、表示部２に表示させる広告情報を変更する。すなわち、制御部４０ａの表示情報変更部４１は、時刻検出部６によって検出された時刻に応じて、表示部２に表示させる広告情報を選択する。例えば、お昼の時間帯であれば、表示情報変更部４１は、ランチメニューを広告する内容の広告情報を選択する。また、時間帯によって、表示装置１ｂの周囲を通行する対象者の属性が変わることが予めわかっているような場合に、表示情報変更部４１は、時刻検出部６によって検出された時刻に基づいて、広告情報を選択する。なお、表示情報変更部４１は、表示部２に表示させる広告情報を選択する場合、時刻情報に対応付けられて広告情報記憶部５に記憶されている広告情報を広告情報記憶部５から読み出すことによって、広告情報を選択する。
【００８３】
次に、本実施形態における表示装置１ｂの動作について説明する。
表示装置１ｂの基本的な動作は、上述した表示装置１（１ａ）と同様である。表示装置１ｂでは、上述したように、対象者の属性、通信機器所持状態、又は時刻に応じて、広告情報を変更する点が異なる。ここでは、対象者の属性、通信機器所持状態、又は時刻に応じて、広告情報を変更する動作例について説明する。
【００８４】
まず、表示装置１ｂは、対象者が周囲に現れるまで（移動して来るまで）不特定多数向けの総花的な内容の広告情報を表示部２に表示する。すなわち、制御部４０ａが、不特定多数向けの総花的な内容の広告情報を表示部２に表示させる。
ここで、状態検出部３によって、対象者が検出された場合に、表示装置１ｂは、対象者の属性、通信機器所持状態、又は時刻に応じて、広告情報を変更する。
【００８５】
例えば、表示装置１ｂは、対象者が大人か子供かに応じて、広告情報を変更する。すなわち、状態検出部３が検出した対象者の年齢により、制御部４０ａが対象者を子供だと判定した場合に、表示情報変更部４１は、子供向けの広告情報（例えば、ゲームの広告）を選択する。制御部４０ａは、表示情報変更部４１によって選択された子供向けの広告情報を表示部２に表示させる。また、制御部４０ａが対象者を大人だと判定した場合に、表示情報変更部４１は、大人向けの広告情報（例えば、居酒屋などの飲食店の広告）を選択する。制御部４０ａは、表示情報変更部４１によって選択された大人向けの広告情報を表示部２に表示させる。
【００８６】
また、例えば、表示装置１ｂは、対象者が個人かグループかに応じて、広告情報を変更する。すなわち、状態検出部３が検出した対象者の人数により、制御部４０ａが対象者を個人だと判定した場合に、表示情報変更部４１は、個人向けの広告情報（例えば、趣味の広告）を選択する。制御部４０ａは、表示情報変更部４１によって選択された個人向けの広告情報を表示部２に表示させる。また、制御部４０ａが対象者をグループだと判定した場合に、表示情報変更部４１は、グループ向けの広告情報（例えば、カラオケボックス店の広告）を選択する。制御部４０ａは、表示情報変更部４１によって選択されたグループ向けの広告情報を表示部２に表示させる。つまり、グループと個人とによって行動パターンが異なると考えられるため、表示装置１ｂは、対象者が個人かグループかに応じて、適切な広告情報を表示部２に表示する。
【００８７】
また、例えば、表示装置１ｂは、対象者の性別に応じて、広告情報を変更する。すなわち、状態検出部３が検出した対象者の性別を女性だと検出した場合に、表示情報変更部４１は、女性向けの広告情報（例えば、美容院や化粧品などの広告）を選択する。制御部４０ａは、表示情報変更部４１によって選択された女性向けの広告情報を表示部２に表示させる。また、制御部４０ａが対象者の性別を男性だと検出した場合に、表示情報変更部４１は、男性向けの広告情報（例えば、紳士服店などの広告）を選択する。制御部４０ａは、表示情報変更部４１によって選択された男性向けの広告情報を表示部２に表示させる。
その他、表示装置１ｂは、対象者の職業（会社員か、学生かなど）に応じて、上述と同様の処理により、広告情報を変更する。
【００８８】
また、表示装置１ｂは、時刻に応じて広告情報を変更する。これは、例えば、表示装置１ｂが駅などに設置され、時刻によって人の流れに傾向がある場合や、学生が多い時間帯や会社員が多い時間帯等が予め統計量により分かっている場合などである。この場合、制御部４０ａの表示情報変更部４１は、時刻検出部６によって検出された時刻に応じて、表示部２に表示させる広告情報を選択する。制御部４０ａは、表示情報変更部４１によって選択された時刻に応じた広告情報を表示部２に表示させる。
【００８９】
また、表示装置１ｂは、対象者が通信機器７を所持している場合に、広告情報にＱＲコード（登録商標）などの追加情報を付加して表示する。
図１３は、本実施形態における表示装置１ｂの表示の一例を示す図である。
この図では、表示装置１の周囲に対象者Ｕ４が存在し、対象者Ｕ４は通信機器７を所持し、移動速度Ｖ４で移動している場合の例を示している。ここで、表示情報変更部４１によって選択された対象者Ｕ４の属性に対応する広告情報は画像Ｇ４であり、追加情報は、画像Ｇ５である。
この場合、対象者Ｕ４が通信機器７を所持しているため、通信機器検出処理部３７は、対象者Ｕ４が通信機器７を所持しているという通信機器所持状態を検出し、制御部４０ａに供給する。制御部４０ａの画像処理部４３は、広告情報記憶部５に記憶されている追加情報の画像Ｇ５を読み出して、表示情報変更部４１によって選択された広告情報の画像Ｇ４に追加情報の画像Ｇ５を合成した画像を生成する。制御部４０ａは、図１３に示すように追加情報の画像Ｇ５が付加された広告情報の画像Ｇ４を表示部２に表示する。対象者Ｕ４は、通信機器７を使用して追加情報の画像Ｇ５を読み取り、これにより、広告情報の追加情報を得ることができる。
【００９０】
なお、上述した対象者の属性、通信機器所持状態、又は時刻に応じて、広告情報を変更する制御部４０ａの各表示処理は、単独で実行されてもよいし、各表示処理を組み合わせて実行してもよい。
【００９１】
以上のように、本実施形態では、対象者の状態には、対象者の属性が含まれ、対象者の属性には、対象者の年齢、対象者の人数、対象者の性別、又は対象者の職業が含まれる。表示装置１ｂは、状態検出部３が対象者の属性を検出し、制御部４０ａが、状態検出部３によって検出された対象者の属性に応じて、表示部２に表示させる広告情報を変更する。
これにより、対象者の年齢、対象者の人数、対象者の性別、又は対象者の職業に対応した適切な広告情報を表示することができるため、本実施形態における表示装置１ｂは、宣伝効率を向上させることができる。
【００９２】
また、本実施形態では、対象者の状態には、対象者が表示部２の表示から情報を読み取り可能な通信機器７を所持しているか否かを示す通信機器所持状態が含まれる。表示装置１ｂは、状態検出部３が通信機器所持状態を検出し、制御部４０ａが、状態検出部３によって検出された通信機器所持状態に基づいて、追加情報（ＱＲデータ（登録商標）など）を表示部２に表示させる。
これにより、本実施形態における表示装置１ｂは、対象者の状態に応じて、対象者に追加情報を提供できるため、宣伝効率を向上させることができる。
【００９３】
また、本実施形態では、制御部４０ａは、時刻に応じて、表示部２に表示させる広告情報を変更する。
これにより、本実施形態における表示装置１ｂは、時刻によって対象者の属性が変わることが予めわかっている場合に、宣伝効率を向上させることができる。
【００９４】
次に、第４の実施形態による表示装置１ｃについて説明する。
［第４の実施形態］
図１４は、第４の実施形態における表示装置１ｃの構成を示す概略ブロック図である。
この図において、図１４と同一の構成については同一の符号を付し、その説明を省略する。
図１４において、表示装置１ｃは、表示部２、撮像部３１、及び表示処理部４を備えている。また、表示処理部４は、状態検出処理部３０ｃ、制御部４０ａ、及び広告情報記憶部５を備えている。また、撮像部３１と状態検出処理部３０ｃとは、状態検出部３に対応する。なお、表示装置１ｃの外観は、図１に示される表示装置１と同様である。
【００９５】
本実施形態では、状態検出処理部３０ｃの構成が、第３の実施形態における表示装置１ｂと異なり、さらに、表示処理部４は、時刻検出部６を備えていない。
広告情報記憶部５は、対象者の状態と表示部２に表示する広告情報とを対応付けて予め記憶している。本実施形態において、広告情報記憶部５は、対象者の属性と広告情報とを対応付けて予め記憶している。また、広告情報記憶部５は、例えば、矢印などの形状の図形と文字情報とを組み合わせた指示情報を記憶している。広告情報記憶部５は、対象者の属性又は広告情報と指示情報とを対応付けて記憶している。なお、指示情報は、対象者を誘導させる方向を指示する情報である。
【００９６】
本実施形態における制御部４０ａは、上述した第２の実施形態における制御部４０ａの機能に加えて、さらに以下の機能を有している。
制御部４０ａは、状態検出部３によって検出された対象者の属性に応じて、指示情報を表示部２に表示させる。すなわち、制御部４０ａの表示情報変更部４１が、例えば、状態検出部３によって検出された対象者の属性に応じた広告情報と指示情報とを選択する。画像処理部４３は、表示情報変更部４１によって選択された広告情報と指示情報とを付加する合成処理を行う。制御部４０ａは、画像処理部４３によって広告情報と指示情報とが合成された画像を表示部２に表示させる。なお、この場合、広告情報と指示情報とは、関連した情報でもよいし、関連しない情報でもよい。したがって、表示情報変更部４１は、指示情報を選択する場合、対象者の属性又は広告情報に対応付けられて広告情報記憶部５に記憶されている指示情報を広告情報記憶部５から読み出すことによって、指示情報を選択する。
【００９７】
次に、本実施形態における表示装置１ｃの動作について説明する。
表示装置１ｃの基本的な動作は、上述した表示装置１（１ａ、１ｂ）と同様である。表示装置１ｃでは、上述したように、対象者の属性に応じて、指示情報を表示部２に表示させて、対象者を誘導する点が異なる。ここでは、この対象者を誘導する誘導動作の例について説明する。
【００９８】
図１５は、本実施形態における表示の一例を示す図である。
この図において、画像Ｇ６は、状態検出部３が検出した対象者の属性に応じた広告情報に指示情報を合成した画像である。このように、表示装置１ｃは、対象者を誘導する指示情報を表示部２に表示する。
【００９９】
例えば、表示装置１ｃは、状態検出部３によって、対象者の人数を検出し、検出した対象者の人数に応じて、指示情報を表示部２に表示する。この場合、交通量に応じて、対象者を誘導するので、表示装置１ｃは、交通量の制御に利用することができる。例えば、表示装置１ｃは、人が多い場所（イベント会場など）で、混雑していない入口に誘導することや、駅など災害時の避難誘導などにも応用可能である。また、表示装置１ｃは、通過人数によって案内する入口を切り替えてもよい。心理学的に、人が多い入口に集中するという現象があるが、この場合、表示装置１ｃは、このような現象を抑制する効果も期待できる。
【０１００】
また、表示位置変更部４２により、対象者の移動方向と対象者の移動速度とに応じて、広告情報を表示部２に表示させる位置を移動させることにより、制御部４０ａは、対象者を誘導した方向に指示情報を動かして表示部２に表示する。
【０１０１】
また、例えば、表示装置１ｃは、広告主の店舗に対象者を誘導するように、指示情報を表示部２に表示する。すなわち、表示装置１ｃは、広告情報の内容に応じて、指示情報を変更して表示部２に表示する。この場合、表示情報変更部４１は、広告情報に対応付けられて広告情報記憶部５に記憶されている指示情報を広告情報記憶部５から読み出すことによって、指示情報を選択する。
なお、誘導する店舗の広告情報は、上述したように、対象者の属性に応じて選択される。対象者の属性は、例えば、対象者の年齢、対象者の人数、対象者の性別、又は対象者の職業である。
【０１０２】
以上のように、本実施形態における表示装置１ｃは、制御部４０ａが、状態検出部３によって検出された対象者の属性に応じて、対象者を誘導させる方向を指示する指示情報を表示部２に表示させる。
これにより、対象者を誘導できるため、本実施形態における表示装置１ｃは、宣伝効率を向上させることができる。また、本実施形態における表示装置１ｃは、混雑防止装置や避難誘導装置としても有用である。
【０１０３】
次に、上述した表示装置１ｃを複数備えた第５の実施形態による表示システム１０について説明する。
［第５の実施形態］
図１６は、第５の実施形態における表示システム１０の構成を示す模式図である。
この図において、図１５と同一の構成については同一の符号を付し、その説明を省略する。
【０１０４】
表示システム１０は、表示装置１ｃ＿１〜１ｃ＿３を備えている。この表示装置１ｃ＿１〜１ｃ＿３は、第４の実施形態における表示装置１ｃと同一の構成である。表示装置１ｃ＿１〜１ｃ＿３は、制御線により互いに接続されており、表示装置１ｃ＿１〜１ｃ＿３の各装置間において、情報（例えば、対象者に関する情報）を通信している。
【０１０５】
図１６では、対象者Ｕ５が移動速度Ｖ５で移動している場合における表示の一例を示している。表示システム１０は、複数（ここでは３台）の表示装置１ｃ＿１〜１ｃ＿３が連携して、対象者の状態に応じた広告情報を表示部２に表示させる。この例では、表示装置１ｃ＿１〜１ｃ＿３が連携して、対象者Ｕ５を誘導する指示情報を含んだ広告情報を各表示部２に表示する。すなわち、対象者を誘導するために、表示装置１ｃ＿１は、画像Ｇ６を表示部２に表示し、表示装置１ｃ＿２は、画像Ｇ７を表示部２に表示する。さらに、表示装置１ｃ＿３は、画像Ｇ８を表示部２に表示する。なお、表示装置１ｃ＿１〜１ｃ＿３は、対象者Ｕ５の移動速度Ｖ５に応じて、指示情報を含んだ広告情報（画像Ｇ６〜Ｇ８）を表示するタイミングを切り替える。
【０１０６】
以上のように、本実施形態における表示システム１０は、表示装置１ｃを複数備え、
複数の表示装置１ｃ＿１〜１ｃ＿３が連携して、対象者の状態に応じた広告情報を表示部２に表示させる。
これにより、複数の表示装置１ｃ＿１〜１ｃ＿３が連携して広告情報を対象者に提供するので、表示システム１０は、対象者の注意をひき易い広告情報を提供することができる。そのため、表示システム１０は、宣伝効率を向上させることができる。
なお、本実施形態では、第４の実施形態における表示装置１ｃを備える形態で説明したが、表示システム１０は、第１〜第３の実施形態における表示装置１（１ａ、１ｂ）を備える形態でもよい。
【０１０７】
なお、宣伝効率を向上させるためには、対象者の注意をひくことが重要である。そのため、上記の各実施形態において、対象者の注意をひくための表示に変形例が考えされる。以下、対象者の注意をひくための表示の変形例について説明する。
例えば、表示装置１〜１ｃは、対象者に対して、広告情報が正面に表示されるように、広告情報を表示部２に表示してもよい。この場合、対象者の正面に広告情報が表示されるため、対象者の注意をひくことができる。
また、表示装置１〜１ｃは、あえて違和感を感じさせるように、広告情報を表示してもよい。例えば、表示装置１〜１ｃは、正面から見せないように表示してもよいし、広告情報をゆがませて表示してもよい。対象者は全体を見たいと思い、ゆがんでいる広告情報の端部の方に移動して見る。表示装置１〜１ｃは、広告情報の端部から更なる情報を表示すれば、更に広告情報を見てくれる可能性がある。このように、表示装置１〜１ｃは、対象者に広告情報に違和感を感じさせることにより、対象者の注意をひくことができる。つまり、表示装置１〜１ｃは、人の反応（心理）に基づいた表示方法により広告情報を表示（又は変更）してもよい。
【０１０８】
また、例えば、表示装置１〜１ｃは、対象者の動きにあわせて表示を追従させ、人が表示に合わせて動き始めたら、逆に動きを止めるように、又は、広告情報が逃げるように、広告情報を表示部２に表示してもよい。この場合も、急に表示の動きが変化するため、対象者の注意をひくことができる。
また、例えば、表示装置１〜１ｃは、対象者の年齢に応じて、広告情報の表示の移動速度を変更してもよい。例えば、表示装置１〜１ｃは、お年寄りが来た場合に（お年よりが歩かなくてもよいように）広告情報を近づくように表示してもよい。また、例えば、表示装置１〜１ｃは、タッチパネルを備えて、タッチパネルと組み合わせて広告情報の表示を変更させてもよい。また、対象者の注意をひくために、表示装置１〜１ｃは、タッチする場所の表示が対象者から逃げるようにしてもよい。
【０１０９】
また、例えば、表示装置１〜１ｃは、対象者の注意をひくために、広告情報の表示形状を変更して表示部２に表示してもよい。この場合、制御部４０（４０ａ）は、状態検出部３によって検出された対象者の属性に応じて、表示部２に表示させる広告情報の表示形状を変更する。すなわち、制御部４０（４０ａ）の画像処理部４３が広告情報の表示形状を変更する。例えば、対象者の性別が女性の場合には、制御部４０（４０ａ）は、やわらかい曲線系の表示形状（例えば、円やハート型）で広告情報を表示部２に表示させる。また、例えば、対象者の性別が男性の場合には、制御部４０（４０ａ）は、かっちりとした表示形状（例えば、四角形や長方形）で広告情報を表示部２に表示させる。また、例えば、対象者の子供の場合には、制御部４０（４０ａ）は、子供が好きなキャラクター型の表示形状で広告情報を表示部２に表示させる。この場合、制御部４０（４０ａ）は、子供が歩くとキャラクターが後をついてくるなどの表示をしてもよい。
これにより、対象者の注意をひくことができるため、表示装置１〜１ｃは、宣伝効率を向上させることができる。
【０１１０】
また、表示システム１０は、対象者が一度に見ることが出来る範囲の表示装置１〜１ｃのうちの複数台の表示部２を使用して１つの広告情報を表示させてもよい。また、表示システム１０は、対象者の移動速度に応じて、次々に広告情報の表示を切換えてもよい。
また、表示システム１０は、表示装置１〜１ｃが人のグループ（移動群）の平均した流れに追従した表示をしてもよい。また、表示システム１０は、逆に流れに乗っていない人（駅の通路を走っている人など）だけに対応させて、広告情報を表示してもよい。また、表示システム１０は、重要な広告情報は、相対的に他の広告とずらして表示してもよい。
このように、表示を変化させることにより、表示システム１０は、対象者の注意をひくことができるため、宣伝効率を向上させることができる。
【０１１１】
なお、本発明は、上記の各実施形態に限定されるものではなく、本発明の趣旨を逸脱しない範囲で変更可能である。上記の各実施形態は、第１〜第４の実施形態のいずれかを単独で実施する形態でもよいし、第１〜第４の実施形態を組み合わせて実施する形態でもよい。
また、上記の各実施形態において、表示装置１〜１ｃは、柱形状である形態を説明したが、壁に表示部２を備える形態でもよいし、他の形態でもよい。また、撮像部３１は、表示装置１〜１ｃの上部に配置される形態を説明したが、表示装置１〜１ｃとは別の場所に配置される形態でもよい。また、状態検出部３は、撮像部３１が撮像した画像情報に基づいて、対象者の状態を検出する形態を説明したが、これに限定されるものではなく、他の手法により対象者の状態を検出する形態でもよい。
【０１１２】
また、上記の第３の実施形態において、通信機器検出処理部３７は、撮像部３１から供給された画像情報に基づいて、通信機器７を対象者が所持しているか否かを検出する形態を説明したが、これに限定されるものではない。例えば、通信機器７の通信機能を利用して、通信機器７を対象者が所持しているか否かを検出する形態でもよい。
また、上記の第２〜第４の実施形態において、表示装置１ａ〜１ｃは、画像処理部４３を備える形態を説明したが、画像処理部４３を備えずに、画像処理部４３と同様の処理が予め行われている広告情報を広告情報記憶部５に予め記憶している形態でもよい。
また、上記の各実施形態において、表示処理部４の各部は、専用のハードウェアによって実現されてもよく、また、表示処理部４の各部は、メモリ及びＣＰＵにより構成され、表示処理部４の各機能は、プログラムによって実現されてもよい。
【０１１３】
上述の表示処理部４は内部に、コンピュータシステムを有している。そして、上述した表示処理部４の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【０１１４】
１，１ａ，１ｂ，１ｃ，１ｃ＿１，１ｃ＿２，１ｃ＿３…表示装置、２…表示部、３…状態検出部、５…広告情報記憶部、１０…表示システム、３１…撮像部、４０，４０ａ…制御部
【図１】
2013164431.tif 000003
【図２】
2013164431.tif 000004
【図３】
2013164431.tif 000005
【図４】
2013164431.tif 000006
【図５】
2013164431.tif 000007
【図６】
2013164431.tif 000008
【図７】
2013164431.tif 000009
【図８】
2013164431.tif 000010
【図９】
2013164431.tif 000011
【図１０】
2013164431.tif 000012
【図１１】
2013164431.tif 000013
【図１２】
2013164431.tif 000014
【図１３】
2013164431.tif 000015
【図１４】
2013164431.tif 000016
【図１５】
2013164431.tif 000017
【図１６】
2013164431.tif 000018